(57)【特許請求の範囲】
【請求項１】
静止画または動画などの画像を画像ファイルとして取得する取込手段に、画像の取得を指示する複数の指示手段と、
前記取込手段により取得され、記憶手段の保存フォルダ配下に格納された画像ファイルに、前記複数の指示手段のうち画像取得操作された指示手段に対応したグループであって、画像ファイルを区分けするためのグループを識別するためのタグ情報を付与するタグ付与制御手段と、
前記記憶手段の保存フォルダ配下の画像ファイルを、グループを指定して閲覧するときに、閲覧選択されたグループを示すタグ情報が付与された画像ファイルを抽出して表示手段に表示する閲覧制御手段とを備え、
前記複数の指示手段は、いずれかのグループに対応するアイコンボタンを表示手段に表示し、前記アイコンボタンが画像取得操作されたことを前記取込手段へ通知する取込制御手段と、前記アイコンボタンが表示された前記表示手段の位置への画像取得操作を検知する操作検知手段とによるものであり、
前記取込制御手段は、前記取込手段により動画を撮影するときに、取込開始で選択されたアイコンボタン以外の表示されたアイコンボタンを非選択状態とすることを特徴とする画像処理装置。
【請求項２】
前記取込制御手段は、最新の画像ファイルを、画像取得操作されたアイコンボタンとして表示する請求項１記載の画像処理装置。
【請求項３】
前記タグ付与制御手段は、画像ファイルがＥｘｉｆ領域を有するファイルである場合、グループに対応させて設定された文字情報を、該撮影ファイルのＥｘｉｆ領域に書き込む、または該撮影ファイルに関連付けて前記記憶手段に格納する請求項１または２記載の画像処理装置。
【請求項４】
前記タグ付与制御手段は、前記複数の指示手段のうち、２以上の指示手段が選択されたときに、選択された２以上の指示手段に対応するタグ情報を画像ファイルに付与する請求項１から３のいずれかの項に記載の画像処理装置。
【請求項５】
前記複数の指示手段には、前記保存フォルダのみに対応させた指示手段が含まれ、
前記タグ付与制御手段は、前記保存フォルダのみに対応させた指示手段への画像取得操作の際には、タグ情報を画像ファイルに付与しない請求項１から４のいずれかの項に記載の画像処理装置。
【請求項６】
コンピュータを、
静止画または動画などの画像を画像ファイルとして取得する取込手段に、画像の取得を指示する複数の指示手段、
前記取込手段により取得され、記憶手段の保存フォルダ配下に格納された画像ファイルに、前記複数の指示手段のうち画像取得操作された指示手段に対応したグループであって、画像ファイルを区分けするためのグループを識別するためのタグ情報を付与するタグ付与制御手段、
前記記憶手段の保存フォルダ配下の画像ファイルを、グループを指定して閲覧するときに、閲覧選択されたグループを示すタグ情報が付与された画像ファイルを抽出して表示手段に表示する閲覧制御手段として機能させると共に、
前記複数の指示手段を、いずれかのグループに対応するアイコンボタンを表示手段に表示し、前記アイコンボタンが画像取得操作されたことを前記取込手段へ通知する取込制御手段と、前記アイコンボタンが表示された前記表示手段の位置への画像取得操作を検知する操作検知手段として機能させ、
前記取込制御手段を、前記取込手段により動画を撮影するときに、取込開始で選択されたアイコンボタン以外の表示されたアイコンボタンを非選択状態とするように機能させることを特徴とする画像処理プログラム。
【発明の詳細な説明】
【技術分野】
【０００１】
本発明は、静止画または動画などの画像を画像ファイルとして取り込み、記憶手段に保存して表示手段から閲覧する画像処理装置および画像処理プログラムに関するものである。
【背景技術】
【０００２】
静止画または動画などの画像を画像ファイルとして取得するものとして、デジタルカメラやデジタルカメラとしての機能を有する携帯電話機、ビデオカメラ、タブレット端末およびＰＤＡ（Personal Digital AssistantまたはPersonal Data Assistance）と称される携帯情報端末、紙面の情報をイメージとして取得するスキャナなどが知られている。
【０００３】
デジタルカメラや、デジタルカメラとしての機能を有する携帯電話機では、撮影画像がＪＰＥＧ（Joint Photographic Experts Group）形式の画像ファイルとして、また動画がＡＶＩ（Audio Video Interleave）ファイルやＡＶＣＨＤ（Advanced Video Codec High Definition）形式、Ｍｏｔｉｏｎ  ＪＰＥＧ形式などの画像ファイルとして格納される。スキャナでは、ＪＰＥＧやＰＮＧ（Portable Network Graphics）、ＴＩＦＦ（Tagged Image File Format）、ＧＩＦ（Graphics Interchange Format）、ＢＭＰ（Bit MaP）、ＰＤＦ（Portable Document Format）などの形式で取得される。
【０００４】
デジタルカメラでは、画像ファイルが格納される記憶手段として、ＳＤメモリカードやコンパクトフラッシュ（登録商標）などの不揮発性のメモリを内蔵したメモリカード、または携帯電話機（デジタルカメラ）に内蔵した不揮発性メモリが使用される。メモリカードのルートには「ＤＣＩＭ」フォルダが作成され、「ＤＣＩＭ」配下にメーカー独自のフォルダが作成され、撮影ファイルは、メーカー独自のフォルダ配下に格納される。
【０００５】
メーカー独自のフォルダ配下に格納された画像ファイルをパーソナルコンピュータ（以下、ＰＣと称す。）や、遠隔地のサーバ（クラウド上のサーバ）などの保存先にて整理するときには、例えば、ＰＣやサーバに予め作成しておいた、分類するためのそれぞれの保存フォルダに、画像ファイルを移動することが行われており、画像ファイルを保存フォルダへ保存し直す作業は煩雑である。
【０００６】
また、スキャナにおいても、取得した画像を、スキャナに接続したＰＣにて格納するフォルダを指定したり、予め設定されたクラウド上のサーバのフォルダに格納したりして、取得した画像を整理するには、煩雑な作業が必要となる。
【０００７】
このような画像ファイルの整理について、特許文献１に記載されたカメラ付き電子機器が知られている。
特許文献１に記載のカメラ付き電子機器は、数字キー（「０」〜「９」）に撮影操作を行うための撮影操作手段が割り当てられていると共に、保存先（ユーザフォルダ「１」〜「１０」）が対応付けられていることで、数字キーは撮影操作だけでなく撮影画像データの保存先の指定操作も兼用しているものである。
【先行技術文献】
【特許文献】
【０００８】
【特許文献１】特開２００４−３２０６２２号公報
【発明の概要】
【発明が解決しようとする課題】
【０００９】
しかし、特許文献１に記載のカメラ付き電子機器では、画像ファイルが整理された状態でそれぞれのユーザフォルダに格納されるものの、後で画像ファイルをまとめたり、ＰＣへ移動させたりする際には、それぞれのユーザフォルダ配下の画像ファイルを一つのフォルダに移動させたり、それぞれのユーザフォルダの画像ファイルについて移動させなければならず面倒である。
【００１０】
そこで本発明は、画像ファイルが整理されて閲覧が容易であり、保管し直す際にも容易に移動させることができる画像処理装置および画像処理プログラムを提供することを目的とする。
【課題を解決するための手段】
【００１１】
本発明の画像処理装置は、静止画または動画などの画像を画像ファイルとして取得する取込手段に、画像の取得を指示する複数の指示手段と、前記取込手段により取得され、記憶手段の保存フォルダ配下に格納された画像ファイルに、前記複数の指示手段のうち画像取得操作された指示手段に対応したグループであって、画像ファイルを区分けするためのグループを識別するためのタグ情報を付与するタグ付与制御手段と、前記記憶手段の保存フォルダ配下の画像ファイルを、グループを指定して閲覧するときに、閲覧選択されたグループを示すタグ情報が付与された画像ファイルを抽出して表示手段に表示する閲覧制御手段とを備えたことを特徴とする。
【００１２】
本発明の画像処理装置によれば、タグ付与制御手段が、複数の指示手段のうち画像取得操作されたシャッタボタンに対応したタグ情報を、撮影ファイルに付与し、電子アルバム制御手段が閲覧選択された電子アルバムを示すタグ情報が付与された撮影ファイルを抽出して表示手段に表示するので、撮影の段階で、整理を付けることができる。また、撮影ファイルは、記憶手段の保存フォルダ配下に格納されるので、移動なども容易である。
【００１３】
前記複数の指示手段は、いずれかのグループに対応するアイコンボタンを表示手段に表示し、前記アイコンボタンが画像取得操作されたことを前記取込手段へ通知する取込制御手段と、前記アイコンボタンが表示された前記表示手段の位置への画像取得操作を検知する操作検知手段とによるものが望ましい。
複数の指示手段を、表示手段に表示されたアイコンボタンとすることで、指示手段の増加に容易に対応することができる。
【００１４】
前記取込制御手段は、最新の画像ファイルを、画像取得操作されたアイコンボタンとして表示するのが望ましい。
最新の画像ファイルが、画像取得操作されたアイコンボタンとして表示されると、直近に取得された画像ファイルが、どのグループに属するのかが一目でわかり、視覚的にグループの内容を把握することができる。
【００１５】
前記取込制御手段は、前記取込手段により動画を撮影するときに、取込開始で選択されたアイコンボタン以外の表示されたアイコンボタンを非選択状態とするのが望ましい。そうすることで、操作者は、誤操作することなく取得終了のアイコンボタンを選択することができる。
【００１６】
前記タグ付与制御手段は、画像ファイルがＥｘｉｆ領域を有するファイルである場合、グループに対応させて設定された文字情報を、該撮影ファイルのＥｘｉｆ領域に書き込む、または該撮影ファイルに関連付けて前記記憶手段に格納するのが望ましい。文字情報を、画像ファイル取得時に画像ファイルに関連付けることができるので、高い利便性を得ることができる。また、対象となる画像ファイルのＥｘｉｆ領域に文字情報が書き込まれるので、画像ファイルを他の機器へ移動または複写したときでも、様々な文字情報を他の機器で参照することができる。
【００１７】
前記タグ付与制御手段は、前記複数の指示手段のうち、２以上の指示手段が選択されたときに、選択された２以上の指示手段に対応するタグ情報を画像ファイルに付与するのが望ましい。画像ファイルに２つ以上のタグ情報が付与されるので、画像ファイルを２つ以上のグループで選択して閲覧したいときでも、画像ファイルの取得時点で割り付けることができる。
【００１８】
前記複数の指示手段には、前記保存フォルダのみに対応させた指示手段が含まれ、前記タグ付与制御手段は、前記保存フォルダのみに対応させた指示手段への画像取得操作の際には、タグ情報を画像ファイルに付与しないのが望ましい。
タグ付与制御手段が、保存フォルダのみに対応させた指示手段への画像取得操作の際には、タグ情報を画像ファイルに付与しないので、グループに関連付けたくないときでも、複数の指示手段のいずれかを選択だけで対応を図ることができる。
【００１９】
本発明の画像処理装置は、コンピュータを、静止画または動画などの画像を画像ファイルとして取得する取込手段に、画像の取得を指示する複数の指示手段、前記取込手段により取得され、記憶手段の保存フォルダ配下に格納された画像ファイルに、前記複数の指示手段のうち画像取得操作された指示手段に対応したグループであって、画像ファイルを区分けするためのグループを識別するためのタグ情報を付与するタグ付与制御手段、前記記憶手段の保存フォルダ配下の画像ファイルを、グループを指定して閲覧するときに、閲覧選択されたグループを示すタグ情報が付与された画像ファイルを抽出して表示手段に表示する閲覧制御手段として機能させることを特徴とする画像処理プログラムにより実現することができる。
【発明の効果】
【００２０】
本発明は、グループを示すタグ情報が画像ファイルに付与されるので、画像取得の段階で整理を付けることができ、記憶手段の保存フォルダ配下に、全て画像ファイルが格納されるので、移動なども容易である。従って、本発明は、画像ファイルが整理されて閲覧が容易であり、保管し直す際にも容易に移動させることができる。
【図面の簡単な説明】
【００２１】
【図１】本発明の実施の形態に係る携帯電話機の外観を示す斜視図である。
【図２】図１に示す携帯電話機の構成を示すブロック図である。
【図３】図１に示す携帯電話機の表示例を示す図であり、初期画面を示す図である。
【図４】電子アルバムを新規に作成する際の電子アルバム表示画面の表示例を示す図であり、（Ａ）は編集を指定する際の図、（Ｂ）は追加を指定する際の図である。
【図５】新規の電子アルバムの作成画面の一例を示す図である。
【図６】新規の電子アルバムが追加された状態の電子アルバム表示画面の表示例を示す図であり、（Ａ）は追加が完了した状態を示す図、（Ｂ）は編集モードが終了した状態を示す図である。
【図７】複数のシャッタボタンが表示された撮影時の表示画面を示す図である。
【図８】シャッタ設定メニュー画面の表示例を示す図であり、（Ａ）は対象となる電子アルバムを指定する際の図、（Ｂ）は電子アルバム「旅行」が選択された設定選択画面を示す図である。
【図９】Ｅｘｉｆ書込設定画面の表示例を示す図である。
【図１０】動画書込設定画面の表示例を示す図である。
【図１１】他の情報書込設定画面の表示例を示す図である。
【図１２】記憶手段にて、電子アルバムを示すタグ情報に関連付けられるＥｘｉｆ書込情報、動画書込情報および他書込情報を示す図である。
【図１３】記憶手段にて、電子アルバムを示すタグ情報に関連付けられる画像ファイルを示す図である。
【図１４】保存フォルダに格納された画像ファイルをサムネイルとして表示させた状態を示す図である。
【図１５】電子アルバム「旅行」に関連付けられた画像ファイルをサムネイルとして表示させた状態を示す図である。
【図１６】電子アルバム「旅行」に関連付けられた静止画の画像ファイルの一つを表示させた状態を示す図である。
【図１７】複数のシャッタボタンが表示された動画撮影時の表示画面を示す図であり、（Ａ）は撮影前の状態を示す図、（Ｂ）は撮影中を示す図である。
【図１８】（Ａ）は、電子アルバム「旅行」に関連付けられた画像ファイルをサムネイルとして表示させた状態を示す図であり、（Ｂ）は電子アルバム「旅行」に関連付けられた動画の画像ファイルの一つを表示させた状態を示す図である。
【発明を実施するための形態】
【００２２】
本発明の実施の形態に係る画像処理装置を、デジタルカメラ機能を有する携帯電話機を例に説明する。なお、図２においては、本発明を説明するための主要な構成のみを図示しており、電話機能、インターネット接続機能（ウェブアクセス、電子メール）、無線通信機能などを示す構成は、図示していない。
【００２３】
図１に示す本実施の形態に係る携帯電話機１０は、正面視矩形状のケースＣの前面に、表示手段が配置されたデジタルカメラ機能を有するスマートフォンである。この携帯電話機１０に内蔵されたコンピュータにて、画像処理プログラムを動作させることで、本発明の画像処理装置（デジタルカメラ）として機能する。
携帯電話機１０は、表示手段２０と、操作検知手段３０と、撮影手段４０と、シャッタ制御手段５０と、タグ付与制御手段６０と、電子アルバム制御手段７０と、記憶手段８０と、設定手段９０とを備えている。
【００２４】
表示手段２０は、薄型のディスプレイにより形成されている。表示手段２０は、液晶表示パネル（ＬＣＤ：Liquid Crystal Display）や有機ＥＬ（electroluminescence）ディスプレイなどが使用できる。
操作検知手段３０は、表示手段２０の前面に配置されたシート状の位置入力手段で、指先での操作を検知することができる。本実施の形態では、この検知機能を利用して、操作検知手段３０に、シャッタ制御手段５０によるアイコンボタンが表示された表示手段２０の位置での画像取得操作を検知させている。操作検知手段３０は、タッチパネルとすることができる。
撮影手段４０は、画像取得指示に基づいて撮影した静止画や動画を画像ファイルとして取り込み出力する取込手段としての機能を有する。
【００２５】
シャッタ制御手段５０は、複数のアイコンボタンをシャッタボタンとして表示手段２０に表示し、アイコンボタンが画像取得操作されたことを取込手段へ通知する取込制御手段として機能するものである。本実施の形態では、シャッタ制御手段５０により表示されたシャッタボタンとしてのアイコンボタンと、このアイコンボタンでの画像取得指示の操作を操作検知手段５０とで、画像の取得を指示する指示手段が構成されている。
【００２６】
タグ付与制御手段６０は、シャッタボタンへの画像取得指示により撮影され、記憶手段８０に設定された保存フォルダ配下に格納された画像ファイルに、操作されたシャッタボタンに対応した電子アルバムを識別するためのタグ情報を付与する機能を備えている。ここで、電子アルバムとは、画像ファイルを整理・保存するために区分けしたグループを指し、あたかも、冊子のアルバムのように、画像ファイルを一覧にして管理することができる仮想アルバムである。
【００２７】
電子アルバム制御手段７０は、新規な電子アルバムを作成したり、既存の電子アルバムの内容を変更したり、操作者により閲覧したい電子アルバムが選択されると、この電子アルバムに対応するタグ情報が付与された画像ファイルを記憶手段８０から抽出して表示手段２０に表示したりする機能を備えている。
【００２８】
記憶手段８０は、画像ファイルやタグ情報、各種の設定情報などが格納される。記憶手段８０は、フラッシュメモリとすることができる。記憶手段８０をフラッシュメモリとしたときには、内蔵メモリとしたり、取り外し可能なメモリカードとしたりすることができる。更に、記憶手段８０は、ディスク装置とすることができる。
設定手段９０は、シャッタボタンに画像取得操作されたときに、画像ファイルに関連付けられる各種の情報を、予め設定しておく機能を備えている。
【００２９】
以上のように構成された本発明の実施の形態に係る携帯電話機１０の動作および使用状態について、図面に基づいて説明する。
図３に示すように、携帯電話機１０の初期画面では、各種のアイコンボタンが表示手段２０に表示されている。新規に電子アルバムを作成するときには、「アルバム」ボタンＢ１１を指先で押下（タップ）する。
【００３０】
操作者が「アルバム」ボタンＢ１１の位置を押下することで、操作検知手段３０から電子アルバム制御手段７０へ押下が通知される。電子アルバム制御手段７０は、図４（Ａ）に示すように、タイトル「アルバム」と、画像ファイルが保存される「保存フォルダ」と、作成済の電子アルバムとをリストにして表示手段２０へ表示する。なお、図４（Ａ）では、初期の状態であるため、電子アルバムが作成されていないので、「保存フォルダ」のみの表示となっている。
【００３１】
電子アルバムを新規に作成する場合には、「編集」ボタンＢ２１を押下する。この押下により、電子アルバム制御手段７０は、編集モードとなる。
編集モードでは、表示手段２０に、タイトル「新規アルバム」と、メッセージ「アルバムの名前を入力して下さい」と、「追加」ボタンＢ２２と、「完了」ボタンＢ２３とが表示されるので、この場合、「追加」ボタンＢ２２を押下する。
【００３２】
図５に示すように、新規の電子アルバムの作成画面では、電子アルバムの名称を入力するための簡易キーボードＫＢと、簡易キーボードＫＢにより入力された文字が表示される入力枠Ｆ１１と、入力が終わった際に電子アルバムの名称を保存するための「保存」ボタンＢ３１と、電子アルバムの名称を保存しないときの「キャンセル」ボタンＢ３２とが表示されている。「保存」ボタンＢ３１の押下により、電子アルバム制御手段７０は、電子アルバムの名称をタグ情報として、記憶手段８０に格納する。
図６（Ａ）の例では、電子アルバムとして、「旅行」、「メモ」が作成されたことを示している。
【００３３】
電子アルバムの新規の作成が終了すると、操作者は図６（Ａ）に示す「完了」ボタンＢ２３を押下することで、電子アルバム制御手段７０は編集モードを終了して、図６（Ｂ）に示すように電子アルバム表示画面となる。
【００３４】
次に、シャッタボタンの設定を行う。この場合には、操作者は、まず、図３に示す初期画面からカメラモードへ移行するために、「カメラ」ボタンＢ１２を押下する。
操作者が「カメラ」ボタンＢ１２の位置を押下することで、操作検知手段３０からシャッタ制御手段５０へ押下が通知される。カメラモードでの表示では、シャッタ制御手段５０が、図７に示すシャッタボタンＢ９１〜Ｂ９４を表示手段２０に表示する。また、撮影手段４０がレンズからの撮影信号をリアルタイムにシャッタボタンＢ９１〜Ｂ９４の背景として表示する（図７参照）。また、カメラモードでの表示には、カメラモードとビデオモードとを切り替えるための切替ボタンＢ９５が表示されている。
複数のシャッタボタンＢ９１〜Ｂ９４を、表示手段２０に表示されたアイコンボタンとすることで、シャッタボタンの増加や減少に容易に対応することができる。
このカメラモードにおいて、操作者が表示手段２０（操作検知手段３０）の表面を右方向に撫でるような操作（フリック）をすると、この操作が設定手段９０へ通知される。設定手段９０は、図８に示すシャッタ設定メニュー画面を表示手段２０に表示する。
【００３５】
図８（Ａ）に示す例では、タイトル「シャッタ設定」と「保存フォルダ」の他に、電子アルバムとして、「旅行」、「メモ」、「仕事」が表示されている。
例えば、電子アルバム「旅行」に関する設定をしたい場合には、操作者は、まず、「旅行」を選択した後に、「編集」ボタンＢ４１を押下する。操作検知手段３０からの「編集」ボタンＢ４１の押下の通知により設定手段９０は、図８（Ｂ）に示す電子アルバム「旅行」についての設定選択画面を表示する。
【００３６】
図８（Ｂ）に示す設定選択画面では、タイトル「「旅行」の設定」とシャッタ設定メニュー画面（図８（Ａ）参照）へ戻るための「戻る」ボタンＢ５１と、「シャッタ表示」の有効か無効を選択するための「ＯＮ」ボタンＢ５２および「ＯＦＦ」ボタンＢ５３と、「Ｅｘｉｆへの書込」と、「動画ファイルへの書込」と、「その他の情報の書込」とが表示されている。
【００３７】
操作者は、シャッタボタンとして、電子アルバム「旅行」に対応したアイコンボタンを表示させたいときには「ＯＮ」ボタンＢ５２を押下し、アイコンボタンを表示させたくないときには「ＯＦＦ」ボタンＢ５３を押下する。この選択により、シャッタ制御手段５０は、シャッタ表示設定情報として、タグ情報に関連付けて記憶手段８０へ格納する。
【００３８】
次に、操作者が「Ｅｘｉｆへの書込」を選択した場合、設定手段９０は、図９に示すＥｘｉｆ書込設定画面を表示する。
図９に示すＥｘｉｆ書込設定画面では、タイトル「Ｅｘｉｆへの書込」と、「コメント」と、「撮影者」と、「タイトル」と、「著作権者」の表示と、それぞれの入力枠Ｆ２１〜Ｆ２４と、入力枠Ｆ２１〜Ｆ２４の入力を画像ファイルのＥｘｉｆ領域に書き込むか否かを設定する「ＯＮ」ボタンＢ６１〜Ｂ６４と、「ＯＦＦ」ボタンＢ６５〜Ｂ６８と、元の画面に戻るための「戻る」ボタンＢ６９が表示されている。
【００３９】
入力枠Ｆ２１〜Ｆ２４に入力された情報は、シャッタ押下時に、画像ファイルのＥｘｉｆの対応する領域に書き込まれる。
「コメント」は、Ｅｘｉｆの「ユーザコメント（UserComment）」（タグ番号３７５１０）に対応する領域である。
「撮影者」は、Ｅｘｉｆの「カメラ所有者名（CameraOwerName）」（タグ番号４３０３２）に対応する領域である。
「タイトル」は、Ｅｘｉｆの「画像タイトル（ImageDescription）」（タグ番号２７０）に対応する領域である。
「著作権者」は、Ｅｘｉｆの「撮影著作権者／編集著作権者（Copyright）」（タグ番号３３４３２）に対応する領域である。
【００４０】
「コメント」を入力するための入力枠Ｆ２１には、電子アルバムの名称であるタグ情報が初期値（デフォルト）として入力されている。電子アルバムの名称を初期値とすることで、入力が面倒な操作者であっても、画像ファイルを他の装置へ移動させても、Ｅｘｉｆ領域を参照することで、電子アルバム（タグ情報）を確認することができる。従って、他の装置で、このＥｘｉｆ領域の「コメント」の情報を検察キーワードで検索したり、電子アルバムに集約させたりして、画像ファイルの整理をしたり、閲覧したりすることができる。
【００４１】
入力が完了すると「戻る」ボタンＢ６９を押下する。このとき、入力枠Ｆ２１〜Ｆ２４に入力された情報は、設定手段９０により、Ｅｘｉｆ書込情報として、タグ情報に関連付けて記憶手段８０へ格納される。「戻る」ボタンＢ６９の押下により、図８（Ｂ）に示す設定選択画面へ戻る。
【００４２】
次に、操作者が「動画への書込」を選択した場合を説明する。設定手段９０は、図１０に示す動画書込設定画面を表示する。
図１０に示す動画書込設定画面では、タイトル「動画への書込」と、「「コメント」と、「撮影者」と、「タイトル」と、「著作権者」の表示と、それぞれの入力枠Ｆ３１〜Ｆ３４と、入力枠Ｆ３１〜Ｆ３４の入力をタグ情報に関連付けて記憶手段８０に登録するか否かを設定する「ＯＮ」ボタンＢ７１〜Ｂ７４と、「ＯＦＦ」ボタンＢ７５〜Ｂ７８と、元の画面に戻るための「戻る」ボタンＢ７９が表示されている。
【００４３】
入力が完了すると「戻る」ボタンＢ７９を押下する。このとき、入力枠Ｆ３１〜Ｆ３４に入力された情報は、設定手段９０により、動画書込情報として、タグ情報に関連付けて記憶手段８０へ格納される。「戻る」ボタンＢ７９の押下により、図８（Ｂ）に示す設定選択画面へ戻る。
【００４４】
次に、操作者が「その他の情報の書込」を選択した場合、シャッタ制御手段５０は、図１１に示す他の情報書込設定画面を表示する。
図１１に示す他の情報書込設定画面では、タイトル「その他の情報の書込」と、「項目１」から「項目４」と、それぞれの入力枠Ｆ４１〜Ｆ４４と、入力枠Ｆ４１〜Ｆ４４の入力を画像ファイルのＥｘｉｆ領域に書き込むか否かを設定する「ＯＮ」ボタンＢ８１〜Ｂ８４と、「ＯＦＦ」ボタンＢ８５〜Ｂ８８と、元の画面に戻るための「戻る」ボタンＢ８９が表示されている。
【００４５】
入力が完了すると「戻る」ボタンＢ８９を押下する。このとき、入力枠Ｆ４１〜Ｆ４４に入力された情報は、設定手段９０により、他書込情報として、タグ情報に関連付けて記憶手段８０へ格納される。「戻る」ボタンＢ８９の押下により、図８（Ｂ）に示す設定選択画面へ戻る。
【００４６】
図１２に、電子アルバムを示すタグ情報に、シャッタ表示設定情報、Ｅｘｉｆ書込情報、動画書込情報および他書込情報が、それぞれ関連付けられた、記憶手段８０内の状態を示す。
【００４７】
このようにして設定が完了すると、図３に示す初期画面から「カメラ」ボタンＢ１２を押下する。「カメラ」ボタンＢ１２の押下により、操作検知手段３０から「カメラ」ボタンＢ１２の押下がシャッタ制御手段５０へ通知される。これにより携帯電話機１０はカメラモードとなる。
【００４８】
図７に示すカメラモードでは、操作者は、写真を撮影したいときには、シャッタボタンＢ９１〜Ｂ９４のいずれかのうちの一つを選択し、画像取得操作である押下する。このとき、操作者は、電子アルバムに関連付けた写真を撮影したい場合には、シャッタボタンＢ９１〜Ｂ９３のうちのいずれかを押下し、電子アルバムとは関連しない写真を撮影したい場合には、シャッタボタンＢ９４を押下する。シャッタボタンＢ９１〜Ｂ９４のいずれかが押下されたことで、操作検知手段３０から対応するシャッタボタンＢ９１〜Ｂ９４の押下がシャッタ制御手段５０へ通知される。
この通知によりシャッタ制御手段５０は、撮影手段４０へ撮影を通知すると共に、タグ付与制御手段６０へ通知する。
【００４９】
アイコンボタンに「旅行」の名称が表示されているシャッタボタンＢ９１が押下された場合には、撮影手段４０からの静止画である画像ファイルに電子アルバム「旅行」のタグ情報が付与され、記憶手段８０の保存フォルダに格納される。
以下、同様にアイコンボタンに「メモ」、「仕事」の名称が表示されているシャッタボタンＢ９２，Ｂ９３のうちのいずれかが押下された場合には、撮影手段４０からの静止画である画像ファイルに電子アルバム「メモ」または「仕事」のタグ情報が付与され、記憶手段８０の保存フォルダに格納される。
アイコンボタンに「保存フォルダ」の名称が表示されているシャッタボタンＢ９４が押下された場合には、撮影手段４０からの静止画である画像ファイルには、タグ情報が付与されずに、記憶手段８０の保存フォルダに格納される。
また、タグ付与制御手段６０は、タグ情報に関連付けられたＥｘｉｆ書込情報（図１２参照）が設定されていれば、対象となる画像ファイルのＥｘｉｆ領域に書き込む。
【００５０】
例えば、シャッタボタンＢ９１（「旅行」）とシャッタボタンＢ９２（「メモ」）とシャッタボタンＢ９４（「保存フォルダ」）を画像取得操作して、写真を撮影したとする。
画像ファイルは、撮影手段４０から撮影時にファイル名として、図１３に示すように、それぞれＡＢＣ００１．ｊｐｇからＡＢＣ０１７．ｊｐｇが割り当てられ、記憶手段８０の保存フォルダにＪＰＥＧ形式のファイルとして格納される。また、電子アルバム「旅行」に対応するシャッタボタンＢ９１を押下して撮影されたＡＢＣ００１．ｊｐｇは、タグ情報「旅行」が関連付けられる。アイコンボタン「メモ」に対応するシャッタボタンＢ９２を押下して撮影されたＡＢＣ００５．ｊｐｇは、タグ情報「メモ」が関連付けられる。アイコンボタン「保存フォルダ」に対応するシャッタボタンＢ９４を押下して撮影されたＡＢＣ０１７．ｊｐｇは、タグ情報としてはなにも関連付けられていない。
【００５１】
シャッタ制御手段５０は、画像取得操作される度に、シャッタボタンとして機能する押下されたアイコンボタンとして、最新の画像ファイルを表示する。例えば、シャッタ制御手段５０は、最初に、シャッタボタンＢ９１が押下され、ＡＢＣ００１．ｊｐｇが撮影されれば、シャッタボタンＢ９１のアイコンボタンとして、ＡＢＣ００１．ｊｐｇを表示する。シャッタ制御手段５０は、次に、シャッタボタンＢ９１が押下され、ＡＢＣ００２．ｊｐｇが撮影されれば、シャッタボタンＢ９１のアイコンボタンとして、ＡＢＣ００２．ｊｐｇを表示する。
【００５２】
シャッタ制御手段５０が、最新の画像ファイルを、画像取得操作されたアイコンボタンとして表示することで、直近撮影された画像ファイルが、どの電子アルバムに属するのかが一目でわかり、視覚的に電子アルバムの内容を把握することができる。
【００５３】
なお、図７に示す表示手段２０には、４つのシャッタボタン（シャッタボタンＢ９１〜Ｂ９４）が表示されているが、電子アルバムの数が増え、シャッタボタンが表示しきれなくなった場合には、シャッタボタンが表示されている領域を左右のいずれかの方向に撫でるような操作（ドラックまたはフリック）をすると、シャッタ制御手段５０が、表示状態のシャッタボタンをシフトして、非表示状態であったシャッタボタンを順次表示する。
【００５４】
次に、画像ファイルを参照したいときには、操作者は図３に示す初期画面にて、「アルバム」ボタンＢ１１を押下する。この押下が操作検知手段３０により通知されると、電子アルバム制御手段７０は、図６（Ｂ）に示すような電子アルバム表示画面を表示手段２０に表示する。
【００５５】
ここで、操作者が「保存フォルダ」を選択したとすると、電子アルバム制御手段７０は、保存フォルダに格納されている画像ファイルの全部を表示手段２０へ表示する。この場合、表示手段２０には、図１４に示すように、ＡＢＣ００１．ｊｐｇからＡＢＣ０１７．ｊｐｇがサムネイルとして表示される。図１４ではサムネイルを示す画像ファイル名の表記について、拡張子は省略している。以下、図面における画像ファイルのサムネイルの表記については同様である。
【００５６】
また、図６（Ｂ）に示すような電子アルバム表示画面で、操作者が「旅行」を選択したとすると、電子アルバム制御手段７０は、保存フォルダに格納されている画像ファイルのうち、タグ情報として電子アルバム「旅行」を示すタグ情報に関連付けられた画像ファイルを表示手段２０へ表示する。この場合、表示手段２０には、図１５に示すように、ＡＢＣ００１．ｊｐｇ〜ＡＢＣ００４．ｊｐｇと、ＡＢＣ００６．ｊｐｇ〜ＡＢＣ００９．ｊｐｇと、ＡＢＣ０１２．ｊｐｇ〜ＡＢＣ０１３．ｊｐｇがサムネイルとして表示される。
【００５７】
操作者が画像ファイルを見る場合には、該当する画像ファイルのサムネイルを押下すると、電子アルバム制御手段７０は、図１６に示すように拡大写真を表示手段２０に表示する。このとき、図９に示すＥｘｉｆ書込設定画面により設定されたＥｘｉｆ書込情報が電子アルバム「旅行」を示すタグ情報に関連付けられていれば、電子アルバム制御手段７０は、Ｅｘｉｆ書込情報を記憶手段８０から読み出し、表示領域に「コメント」、「撮影者」、「タイトル」、「著作権者」を表示する。
【００５８】
また、図１１に示す情報書込設定画面により設定された他書込情報が電子アルバム「旅行」を示すタグ情報に関連付けられていれば、電子アルバム制御手段７０は、他書込情報を記憶手段８０から読み出し、表示領域に「項目１」〜「項目４」を表示する。このように文字情報を、静止画撮影時に画像ファイルに関連付けることができるので、高い利便性を得ることができる。
【００５９】
このように携帯電話機１０は、タグ付与制御手段が、複数のシャッタボタンのうち画像取得操作されたシャッタボタンに対応したタグ情報を、画像ファイルに付与し、電子アルバム制御手段が閲覧選択された電子アルバムを示すタグ情報が付与された画像ファイルを抽出して表示手段に表示するので、撮影の段階で、整理を付けることができる。また、画像ファイルは、記憶手段の保存フォルダ配下に格納されるので、移動なども容易である。
【００６０】
また、タグ付与制御手段６０が、タグ情報に関連付けられたＥｘｉｆ書込情報（図１２参照）が設定されていれば、対象となる画像ファイルのＥｘｉｆ領域に書き込むので、画像ファイルを他の機器へ移動または複写したときでも、様々な文字情報を他の機器で参照することができる。
【００６１】
また、複数のシャッタボタンＢ９１〜Ｂ９４に、保存フォルダのみに対応させたシャッタボタンＢ９４が含まれている。タグ付与制御手段６０は、保存フォルダのみに対応させたシャッタボタンＢ９４への押下の際には、タグ情報を画像ファイルに付与しないので、電子アルバムに関連付けたくない撮影でも、シャッタボタンＢ９１〜Ｂ９４の選択だけで対応を図ることができる。
【００６２】
上述した説明では、シャッタボタンＢ９１〜Ｂ９４のうち１つのシャッタボタンを押下して撮影した例であったが、２つ以上のシャッタボタンＢ９１〜Ｂ９３を選択してもよい。その場合には、タグ付与制御手段６０が画像取得操作された２つの以上のシャッタボタンに対応するタグ情報を画像ファイルに付与する。従って、画像ファイルに付与されたタグ情報が関連する電子アルバムを閲覧するときには、いずれの電子アルバムにも、該当する画像ファイルが表示される。
このように、画像ファイルを２つ以上の電子アルバムで閲覧したいときでも、画像ファイルの撮影時点で割り付けることができる。
【００６３】
次に、動画の場合を説明する。動作の場合には、まず、図７に示すカメラモードの表示から切替ボタンＢ９５を押下する。切替ボタンＢ９５の押下により、操作検知手段３０から切替ボタンＢ９５の押下がシャッタ制御手段５０へ通知される。これにより携帯電話機１０はビデオモードとなる（図１７参照）。ビデオモードの表示では、シャッタボタンＢ９１〜Ｂ９４の背面部分の背景をカメラモードと変えることで、モードを識別できるようにしてもよい。
【００６４】
操作者は、シャッタ制御手段５０により表示手段２０に表示されたシャッタボタンＢ９１〜Ｂ９４のいずれかを押下する（図１７（Ａ）参照）。例えば、電子アルバム「旅行」に対応するシャッタボタンＢ９１を押下したとする。
【００６５】
この押下が操作検知手段３０により撮影手段４０およびシャッタ制御手段５０へ通知される。この通知により撮影手段４０は動画の撮影を開始し、順次、撮像ファイルとして記憶手段８０へ格納する。シャッタ制御手段５０は、画像取得操作として選択されたシャッタボタンＢ９１以外（シャッタボタンＢ９２〜Ｂ９４）を非選択状態とする。
そうすることで、操作者は、誤操作することなく撮影終了のシャッタボタンを選択することができる。
また、シャッタボタンＢ９１に「ＲＥＣ」を表示して録画中であることを示すことで、操作者は、録画が進行中であることを一目で認識することができる。
【００６６】
撮影開始時に押下されたシャッタボタンＢ９１が再び押下されることで、記憶手段８０に格納された動画である画像ファイルに、電子アルバム「旅行」を示すタグ情報が付与されると共に、タグ情報「旅行」に動画書込情報や他書込情報が設定されていれば、画像ファイルに動画書込情報と他書込情報とが関連付けられる。
この動画である画像ファイルを閲覧するときには、電子アルバム「旅行」を参照する。図１８（Ａ）に示すように、電子アルバム「旅行」では、「旅行」のタグ情報が付与された画像ファイルが抽出されるので、電子アルバム制御手段７０により、静止画である画像ファイルのサムネイルと共に、動画である画像ファイル「ＡＢＣ０１８」（図１８（Ａ）では拡張子は省略している。）が追加され、表示手段２０に表示されている。
【００６７】
操作者が画像ファイルを見る場合には、該当する画像ファイル「ＡＢＣ０１８」のサムネイルを押下すると、電子アルバム制御手段７０は、図１８（Ｂ）に示すように拡大された動画を表示手段２０に表示する。このとき、図１０に示す情報書込設定画面により設定された動画書込情報と他書込情報とが電子アルバム「旅行」を示すタグ情報に関連付けられていれば、電子アルバム制御手段７０は、動画書込情報と他書込情報とを記憶手段８０から読み出し、表示領域に「コメント」、「撮影者」、「タイトル」、「著作権者」および「項目１」〜「項目４」を表示する。このように文字情報を、動画撮影時に画像ファイルに関連付けることができるので、高い利便性を得ることができる。
なお、本実施の形態では、シャッタボタンが表示手段２０に表示されたアイコンボタンであったが、ケースに設けられた機械式のシャッタボタンでも、電子アルバムに対応付けられていれば使用することができる。
【００６８】
また、本実施の形態では、デジタルカメラ機能付きの携帯電話機１０を例に説明したが、例えば、取込手段をスキャナとした場合には、スキャナにＵＳＢ（Universal Serial Bus）や無線ＬＡＮなどのインタフェースを介して接続した、デスクトップ型コンピュータ、ノート型コンピュータ、パームトップ型コンピュータ、タブレット端末やＰＤＡなどの携帯情報端末等のＰＣに、本発明の画像処理プログラムを動作させることで、スキャナから取り込んだ画像ファイルを同様に扱うことができる。
具体的には、本発明の画像処理プログラムをＰＣにて動作させると、設定に基づいて、指示手段として機能するアイコンボタンがＰＣの表示手段に表示される。このアイコンボタン（指示手段）をマウスやキーボードで押下して、スキャナ（取込手段）から画像を取得すると、ＰＣのタグ付与制御手段がアイコンボタンに対応したタグ情報を画像ファイルに付与して、ＰＣや、ＰＣとネットワークを介して接続されたクラウド上のサーバなどの保存先となる保存フォルダに格納する。そして、ＰＣやサーバに格納された画像ファイルを閲覧するときに、ＰＣやサーバに設定された電子アルバム（グループ）を選択すれば、電子アルバム制御手段（閲覧制御手段）が選択された電子アルバムを示すタグ情報が付与された画像ファイルを抽出して表示手段に表示する。このように、画像ファイルの保存先がローカルディスクであるＰＣであったり、クラウド（またはネットワークドライブ）であるサーバ上であったりしても、同様に画像処理プログラムは、ＰＣを画像処理装置として機能させることができる。
【００６９】
このように本発明の画像処理プログラムがＰＣにて動作することで、携帯電話機１０と同様に取込手段をスキャナとしても使用することができる。なお、ＰＣの保存フォルダに格納される画像ファイルとしては、ＪＰＥＧやＰＮＧ、ＴＩＦＦ、ＧＩＦ、ＢＭＰ、ＰＤＦとすることができるが、Ｅｘｉｆ領域を有するＪＰＥＧ以外では、タグ情報を別ファイルにして関連付けることで、画像ファイルにタグ情報を付与することができる。
【産業上の利用可能性】
【００７０】
本発明の画像処理装置および画像処理プログラムは、デジタルカメラ専用機、ビデオカメラ、静止画や動画を撮影するデジタルカメラ機能を有する携帯電話機・携帯端末装置、スキャナなどに好適である。
【符号の説明】
【００７１】
１０  携帯電話機
２０  表示手段
３０  操作検知手段
４０  撮影手段
５０  シャッタ制御手段
６０  タグ付与制御手段
７０  電子アルバム制御手段
８０  記憶手段
９０  設定手段
Ｂ１１  「アルバム」ボタン
Ｂ１２  「カメラ」ボタン
Ｂ２１  「編集」ボタン
Ｂ２２  「追加」ボタン
Ｂ２３  「完了」ボタン
Ｂ３１  「保存」ボタン
Ｂ３２  「キャンセル」ボタン
Ｂ４１  「編集」ボタン
Ｂ５１  「戻る」ボタン
Ｂ５２  「ＯＮ」ボタン
Ｂ５３  「ＯＦＦ」ボタン
Ｂ６１〜Ｂ６４  「ＯＮ」ボタン
Ｂ６５〜Ｂ６８  「ＯＦＦ」ボタン
Ｂ６９，Ｂ７９，Ｂ８９  「戻る」ボタン
Ｂ７１〜Ｂ７４  「ＯＮ」ボタン
Ｂ７５〜Ｂ７８  「ＯＦＦ」ボタン
Ｂ８１〜Ｂ８４  「ＯＮ」ボタン
Ｂ８５〜Ｂ８８  「ＯＦＦ」ボタン
Ｂ９１〜Ｂ９４  シャッタボタン
Ｂ９５  切替ボタン
ＫＢ  簡易キーボード
Ｆ１１，Ｆ２１〜Ｆ２４，Ｆ３１〜Ｆ３４，Ｆ４１〜Ｆ４４  入力枠
【要約】
【課題】画像ファイルが整理されて閲覧が容易であり、保管し直す際にも容易に移動させることができる画像処理装置および画像処理プログラムを提供する。
【解決手段】携帯電話機１０は、複数のシャッタボタンＢ９１〜Ｂ９４がアイコンボタンとして表示手段に表示されている。このシャッタボタンＢ９１〜Ｂ９４を押下することで、撮影手段からの画像ファイルに、電子アルバムを示すタグ情報をタグ付与制御手段により付与する。撮影時に画像ファイルにタグ情報が付与されるので、電子アルバム制御手段により、電子アルバムを閲覧するときに、閲覧選択された電子アルバムを示すタグ情報が付与された画像ファイルが抽出され、表示手段に表示されるので、整理が容易である。
【選択図】図７【図１】
0005214051.tif 000002
【図２】
0005214051.tif 000003
【図３】
0005214051.tif 000004
【図４】
0005214051.tif 000005
【図５】
0005214051.tif 000006
【図６】
0005214051.tif 000007
【図７】
0005214051.tif 000008
【図８】
0005214051.tif 000009
【図９】
0005214051.tif 000010
【図１０】
0005214051.tif 000011
【図１１】
0005214051.tif 000012
【図１２】
0005214051.tif 000013
【図１３】
0005214051.tif 000014
【図１４】
0005214051.tif 000015
【図１５】
0005214051.tif 000016
【図１６】
0005214051.tif 000017
【図１７】
0005214051.tif 000018
【図１８】
0005214051.tif 000019